(57)【要約】【課題】  適度な保形性と造形性を有し、かつバストにソフトにフイットする。洗濯することにより変形を起こすが、元の形状復帰が簡易であり、いつまでも美しいバストラインのシルエットを保持できる。【解決手段】  一定温度で初期形状に復元する形状記憶樹脂からなるカップ支持材３が備わっていることを特徴とするカップ部。【選択図】        図２
2005089925.tif 000002
【特許請求の範囲】
【請求項１】
一定温度で初期形状に復元する形状記憶樹脂からなるカップ支持材が備わっていることを特徴とするカップ部。
【請求項２】
前記の一定温度はガラス転移温度Ｔｇであり、４０℃〜７５℃の範囲である請求項１に記載のカップ部。
【請求項３】
カップ支持材は下辺湾曲部に沿ってカップと同時に成形されていることを特徴とする請求項１または２に記載のカップ部。
【請求項４】
カップ支持材はカップ布とテープ布に挟み込まれて一体に成形されていることを特徴とする請求項１、２または３に記載のカップ部。
【請求項５】
一定温度で初期形状に復元する形状記憶樹脂からなるカップ支持材が備わっているカップを、一切の縫製を行わずに衣類に固定されていることを特徴とする衣類。
【請求項６】
カップは衣類の表生地と裏生地に挟みこまれて一体に成形されていることを特徴とする請求項５に記載の衣類。
【請求項７】
衣類はブラジャー、ボディスーツ、ブラスリップ、レオタード、水着から選ばれた衣類である請求項５または６に記載の衣類。
【発明の詳細な説明】
【技術分野】
【０００１】
本発明は、ブラジャー、ボディスーツなどのファンデーションあるいはブラスリップなどのランジェリーもしくはレオタード、水着のスポーツ衣料などのバストカップおよびそのカップが装着されている衣類に関するものである。
【背景技術】
【０００２】
従来から、上記のような衣類には、着用した時にバストの形を整え、バストアップさせてそのシルエットを美しく見せると同時に、着用安定性を発揮させるため、乳房を受けるカップ部位が形成されており、そのカップに乳房が常に収容保持されるように構成されている。
【０００３】
ところが、このカップのみでは、運動時や腕を動かした時などに生じる乳房の揺動による形態変化、すなわち、上がったり、垂れ下がったり脇方向への流れに対しての阻止ができないので、その形態の変化に伴う乳房とカップに隙間が生じて保形および造形ができないと言う問題点があった。
【０００４】
そのため、バストの下辺湾曲部の形状に近似するように成形された金属製の芯材または合成樹脂製の芯材をカップの下辺湾曲部に沿って縫い付けられた袋部に収納することによりカップの固定化、つまり、バストの保形性を図っており、着用時の運動時などにおいても、芯材が脇側に流れないように、芯材の弾力性と背中方向への力が釣り合うよう設計され、それによって保形機能および造形機能を発揮できるようになっている。
【０００５】
しかしながら、前記の金属製の芯材は、硬直感に富んでいることから、装着した時の肌当りが悪く、部分的に圧迫感を与えることがあると共に、バストの形状にもフイットしにくく着心地が悪かった。また、洗濯機で繰り返し洗濯しているうちに外力が加わり変形することがある。変形した場合には手で直して着用しているが、変形の具合によれば直りきらず凹凸部が形成され、その凹凸部が肌に伝わり違和感が生じることになる。さらに、発錆を防ぐ処理を必要とし、廃棄時においては分別しなければならない煩わしさなどの問題点があった。
【０００６】
また、合成樹脂製の芯材は、金属製の芯材と比べると、保形性に劣るが装着した時の肌当りにおいては少し柔らかくて着心地は良くなるが、洗濯などで変形した場合の手直しが容易でなく、変形後では機能低下が著しくおこると言った問題点があった。
【０００７】
さらに、金属製の芯材および合成樹脂の芯材ともに、サイズ毎の大きさのものを用意し、下辺湾曲部に沿って縫着される袋部内に挿通しなければならず、その取り付けに手間を要するばかりでなく、縫着時の針折れの危険性を増長させていた。また、芯材自体の硬さと共に、袋部を縫製する縫着部と相俟って下辺湾曲部が硬くなるばかりでなく、袋部が突出することになり装着すると肌を圧迫して違和感を生じると言う問題点があった。
【０００８】
そのため、上記のような金属製の芯材や合成樹脂製の芯材に比べて、肌あたりが比較的軟らかで着心地も良く、洗濯した時に変形しても元の形状に戻す事ができる形状記憶合金の芯材を使用することが提案されている。（例えば、特許文献１〜３参照）
【特許文献１】特公平１−３７４８１号公報
【特許文献２】特公平１−６００８１号公報
【特許文献３】実開平１−１７３１１３号公報
【発明の開示】
【発明が解決しようとする課題】
【０００９】
しかしながら、前記の形状記憶合金の芯材は、金属製の芯材や合成樹脂製の芯材に比べて、遥かに高価であると言う欠点がある。また、形状記憶処理工程に時間がかかる問題点もあった。それに通常の芯材を使用する場合にも生ずる芯材を固定するための袋状のものか、芯材をシートに接合したものであるならばシートを縫着することによる、ただ出さえ複雑なパターンの組み合わされた製品をより複雑にしていると言う問題点は解決されなかった。
【００１０】
本発明は、上記の問題点を解決することを課題として開発されたもので、適度な保形性と造形性を有し、かつバストにソフトにフイットすると共に、洗濯することにより変形を起こすが、元の形状復帰が簡易であり、いつまでも美しいバストラインのシルエットを保持できるカップ部及びそのカップ部を有する衣類を提供することを目的とするものである。
【課題を解決するための手段】
【００１１】
上記の課題を解決し、その目的を達成する手段として、本発明は、一定温度で初期形状に復元する形状記憶樹脂からなるカップ支持材が備わっていることを特徴とするカップ部を開発し、採用した。
【００１２】
また、上記のように構成したカップ部において、前記の一定温度はガラス転移温度Ｔｇであり、４０℃〜７５℃の範囲であるカップ部、およびカップ支持材は下辺湾曲部に沿ってカップと同時に成形されているカップ部、およびカップ支持材はカップ布とテープ布に挟み込まれて一体に成形されているカップ部を開発し、採用した。
【００１３】
さらに、本発明は、一定温度で初期形状に復元する形状記憶樹脂からなるカップ支持材が備わっているカップを、一切の縫製を行わずに衣類に固定されていることを特徴とする衣類を開発し、採用した。
【００１４】
また、上記のように構成したカップ部を有する衣類において、カップは衣類の表生地と裏生地に挟みこまれて一体に成形されているカップ部を有する衣類、および衣類はブラジャー、ボディスーツ、ブラスリップ、レオタード、水着から選ばれた衣類を開発し採用した。
【発明の効果】
【００１５】
カップの成形時に形状記憶樹脂を同時熱成形するので１工程でカップ支持材付きカップが得られる至便性がある。また、形状記憶樹脂の形状記憶処理を、カップの加熱成形と同時に行うことにより、直線形状で各サイズに対応できる。従って、従来のように製品毎に形状の異なる多数の芯材を在庫に持つようなことがなくなり効率的になる。
【００１６】
また、形状記憶樹脂はカップ布と接合することにより、カップ布の強度と形状記憶樹脂の強度の相乗効果により充分な保形性を有すると共に、従来の芯材のように硬直感がなく、かつ芯材を収納する袋部の縫製の必要もなくなり、突出部も僅かであることから装着時の圧迫感が生じない。
【００１７】
さらに、洗濯時に、カップ支持材が変形したとしても、製品単体で乾燥機に入れるか、形状回復温度以上のお湯に漬けると初期の記憶形状に戻り、着用感は着心地の良い初期の状態を維持することになる。  
【００１８】
また、本発明の衣類は、カップが熟練作業者によるミシン縫製での固定でなく、一切の縫製を行わずにカップを固定してあるから、ブラジャーなどの製造を容易化できて多量生産に適し、安価に供給できるものである。また、ミシン縫製でないことから、完成後の検針機作業の必要がなくなる。
【００１９】
そして、カップ部を有する衣類を着用すれば、バストにフイットして、着心地が良くバストの形を整えてバストアップさせてシルエットを美しく見せることができる。
【発明を実施するための最良の形態】
【００２０】
以下に、本発明の実施の形態を添付図面に基づいて説明すれば、１はブラジャー、ボディスーツ、ブラスリップ、レオタード、水着などの衣類に装着される左右連設した略半円形状のカップで、ソフトな感触と膨らみのある立体形状が要求されることから、ポリエステル繊維不織布、発泡ポリウレタンシートなどが用いられ、加熱成形してバストの形状に近い膨出部２を形成してある。
【００２１】
３はカップ１の下辺湾曲部に沿ってカップ１と同時成形された形状記憶樹脂からなるカップ支持材であり、例えば、ポリノルボルネンやポリイソプレン、ポリスチレンーブタジエン共重合体、ポリウレタンなどであり、ある温度で与えた形状を記憶させ、それより低温で異なる形状に変形しても、ガラス転移温度Ｔｇより高い温度に加熱すると元の形状に戻ると言う形状記憶性を有する高分子樹脂である。    
【００２２】
この形状記憶樹脂の形状記憶処理は、カップ１の加熱成形と同時に行うことにより、直線形状で各サイズのものに対応できるようになっており、従来のように多くのサイズ違いを用意する必要がなくなる。従って、サイズ毎の金型も不要になる。また、形状記憶樹脂はカップ布４とテープ布５に挟み込まれて加熱同時成形されており、カップ布４とテープ布５を接着する役目もなしている。
【００２３】
上記のカップ支持材３の形状記憶樹脂のガラス転移温度Ｔｇは４０〜７５℃が好ましく、より好ましくは５５℃である。５５℃に設定した時には、熱めのお湯で元の形状に簡単に戻すことができる事になり、洗濯後でも着用初回と変わらない着心地になる。
【００２４】
カップ支持材３はテープ布５で被覆されているので、表面に現れることがなく外観優美になる。さらに、従来のような芯材収納袋部などを縫製する必要がなくなり、下辺湾曲部が硬くならない。
【００２５】
このように構成されたカップ１は、例えば図５に示すブラジャー６、図６に示すボディスーツ７、図７に示すブラスリップ８、図８に示すレオタード９、図９に示す水着１０などのバスト部の表生地と裏生地に挟みこまれて熱溶着で一体に成形されるものである。
【００２６】
上記のような熱溶着による一体成形されると生地の重ね合わせ部と縫製による凹凸部がないので硬くなく、全体を薄く仕上げることができ、柔らかくて肌あたりが良く着心地が良好となる。
【００２７】
以上、本発明の主要な実施の形態について説明したが、本発明は、これらの実施に限定されるものではなく、例えば、形状記憶合金の断面形状を、丸形、楕円形、四角形、Ｌ字形、Ｃ字形の他、両端部を膨出部とするような形状とすることもあり、要するに発明の目的を達成でき、且つ発明の要旨を逸脱しない範囲内で種々の設計変更が可能であり、それらも全て本発明の範囲内に包含されるものである。
【産業上の利用可能性】
【００２８】
ブラジャー、ボディスーツ、ブラスリップ、レオタード、水着などのバストカップだけに限定されるものではなく、乳房受用のカップ部を有し、乳房の保形、成形などの造形機能を必要とする女性用衣料であれば、いずれにも利用できるものである。
【図面の簡単な説明】
【００２９】
【図１】本発明のカップの簡略背面図である。
【図２】図１のＡ−Ａ線断面図である。
【図３】要部の拡大断面図である。
【図４Ａ】カップが変形された状態の簡略背面図である。
【図４Ｂ】元に戻った状態の簡略背面図である。
【図５】ブラジャーに装着された簡略斜視図である。
【図６】ボディスーツに装着された簡略斜視図である。
【図７】ブラスリップに装着された簡略斜視図である。
【図８】レオタードに装着された簡略斜視図である。
【図９】水着に装着された簡略斜視図である。
【符号の説明】
【００３０】
１  カップ
２  膨出部
３  カップ支持材
４  カップ布
５  テープ布
【図１】
2005089925.tif 000003
【図２】
2005089925.tif 000004
【図３】
2005089925.tif 000005
【図４Ａ】
2005089925.tif 000006
【図４Ｂ】
2005089925.tif 000007
【図５】
2005089925.tif 000008
【図６】
2005089925.tif 000009
【図７】
2005089925.tif 000010
【図８】
2005089925.tif 000011
【図９】
2005089925.tif 000012